(57)【特許請求の範囲】
【請求項１】
生体の一部に対して所定波長の光を照射して、当該生体をイメージセンサにより撮像し、前記生体による前記光の吸収度合いを測定する測定部と、
前記測定部による測定データを利用して、前記生体の測定部位において前記生体の内部に存在する静脈に対応する位置を特定する静脈位置特定部と、
前記測定部による測定データの時間変化と、前記静脈位置特定部により特定された前記静脈の位置と、に基づいて、前記測定データの時間変化のうち前記生体の内部に存在する動脈の拍動に由来する成分を分離する拍動成分分離部と、
前記拍動成分分離部により分離された前記測定データの前記動脈の拍動に由来する成分を利用して、動脈血中の酸素飽和度を算出する酸素飽和度算出部と、
を備える、測定装置。
【請求項２】
前記拍動成分分離部は、
前記静脈位置特定部により特定された前記静脈の位置に基づいて、前記測定データから前記静脈の位置に該当するデータを除外する空間フィルタ部と、
前記静脈の位置に該当するデータが除外された前記測定データから、所定の周波数成分を分離する周波数フィルタ部と、
を有する、請求項１に記載の測定装置。
【請求項３】
前記測定部は、
所定波長を有する赤色光及び赤外光の少なくとも２種類の測定光を、前記生体に向かって射出する光源部と、
複数のセンサが所定の配置で規則的に配設されており、前記光源部から射出され前記生体を透過した測定光を当該複数のセンサで検出する検出部と、
を備える、請求項２に記載の測定装置。
【請求項４】
前記検出部は、複数のレンズが格子状に規則的に配設されたマイクロレンズアレイを利用したセンサにより、前記生体を透過した測定光を検出する、請求項３に記載の測定装置。
【請求項５】
前記酸素飽和度算出部は、前記赤色光を用いて測定された前記測定データと、前記赤外光を用いて測定された前記測定データと、を利用して、ヘモグロビン濃度及び酸素化ヘモグロビン濃度を算出し、算出した前記ヘモグロビン濃度及び酸素化ヘモグロビン濃度を利用して、前記酸素飽和度を算出する、請求項４に記載の測定装置。
【請求項６】
生体の一部に対して所定波長の光を照射して、当該生体をイメージセンサにより撮像し、前記生体による前記光の吸収度合いを測定することと、
測定された測定データを利用して、前記生体の測定部位において前記生体の内部に存在する静脈に対応する位置を特定することと、
前記測定データの時間変化と、特定された前記静脈の位置と、に基づいて、前記測定データの時間変化のうち前記生体の内部に存在する動脈の拍動に由来する成分を分離することと、
分離された前記測定データの前記動脈の拍動に由来する成分を利用して、動脈血中の酸素飽和度を算出することと、
を含む、測定方法。
【請求項７】
生体の一部に対して所定波長の光を照射して、当該生体をイメージセンサにより撮像し、前記生体による前記光の吸収度合いを測定する測定部と通信可能なコンピュータに、
前記測定部による測定データを利用して、前記生体の測定部位において前記生体の内部に存在する静脈に対応する位置を特定する静脈位置特定機能と、
前記測定部による測定データの時間変化と、前記静脈位置特定機能により特定された前記静脈の位置と、に基づいて、前記測定データの時間変化のうち前記生体の内部に存在する動脈の拍動に由来する成分を分離する拍動成分分離機能と、
前記拍動成分分離機能により分離された前記測定データの前記動脈の拍動に由来する成分を利用して、動脈血中の酸素飽和度を算出する酸素飽和度算出機能と、
を実現させるためのプログラム。
【請求項８】
生体の一部に対して所定波長の光を照射して、当該生体をイメージセンサにより撮像し、前記生体による前記光の吸収度合いを測定する測定部と通信可能なコンピュータに、
前記測定部による測定データを利用して、前記生体の測定部位において前記生体の内部に存在する静脈に対応する位置を特定する静脈位置特定機能と、
前記測定部による測定データの時間変化と、前記静脈位置特定機能により特定された前記静脈の位置と、に基づいて、前記測定データの時間変化のうち前記生体の内部に存在する動脈の拍動に由来する成分を分離する拍動成分分離機能と、
前記拍動成分分離機能により分離された前記測定データの前記動脈の拍動に由来する成分を利用して、動脈血中の酸素飽和度を算出する酸素飽和度算出機能と、
を実現させるためのプログラムが記録された記録媒体。
【請求項９】
生体の一部に対して所定波長の光を照射して、当該生体をイメージセンサにより撮像し、前記生体による前記光の吸収度合いを測定する測定部と、
前記測定部による測定データを利用して、前記生体の測定部位において前記生体の内部に存在する静脈に対応する位置を特定する静脈位置特定部と、
前記測定部による測定データの時間変化と、前記静脈位置特定部により特定された前記静脈の位置と、に基づいて、前記測定データの時間変化のうち前記生体の内部に存在する動脈の拍動に由来する成分を分離する拍動成分分離部と、
前記拍動成分分離部により分離された前記測定データの前記動脈の拍動に由来する成分を利用して、動脈血中の酸素飽和度を算出する酸素飽和度算出部と、
を備え、
前記測定部は、
所定波長を有する赤色光及び赤外光の少なくとも２種類の測定光を、前記生体に向かって射出する光源部と、
複数のセンサが所定の配置で規則的に配設されており、前記光源部から射出され前記生体を透過した測定光を当該複数のセンサで検出する検出部と、
を有する、測定装置。
【請求項１０】
生体の一部に対して所定波長の光を照射して、当該生体をイメージセンサにより撮像し、前記生体による前記光の吸収度合いを測定することと、
測定された測定データを利用して、前記生体の測定部位において前記生体の内部に存在する静脈に対応する位置を特定することと、
前記測定データの時間変化と、特定された前記静脈の位置と、に基づいて、前記測定データの時間変化のうち前記生体の内部に存在する動脈の拍動に由来する成分を分離することと、
分離された前記測定データの前記動脈の拍動に由来する成分を利用して、動脈血中の酸素飽和度を算出することと、
を含み、
前記光の吸収度合いを測定する際には、
所定波長を有する赤色光及び赤外光の少なくとも２種類の測定光を、前記生体に向かって射出し、複数のセンサが所定の配置で規則的に配設されたセンサによって、前記生体を透過した測定光を検出する、測定方法。
【発明の詳細な説明】
【技術分野】
【０００１】
本開示は、測定装置、測定方法、プログラム及び記録媒体に関する。
【背景技術】
【０００２】
医療分野において、脈波形（動脈の拍動波形）を測定する技術が多用されている。脈波形は、その波形形状を解析することにより、循環器系の検査（例えば、動脈硬化度測定、ストレス測定）等に用いられるほか、パルスオキシメータ（動脈血中酸素飽和濃度測定装置）等にも利用されている。
【０００３】
なかでも、採血や穿刺を伴わない非侵襲で経皮的に脈波形を測定する技術の一つである光学式容積脈波法（Ｐｈｏｔｏｐｌｅｔｈｙｓｍｏｇｒａｐｈｙ）と呼ばれる技術（例えば、以下の特許文献１を参照。）は、人体に負担をかけずに簡便に測定が可能であるため、非常に広い範囲で利用されている。
【先行技術文献】
【特許文献】
【０００４】
【特許文献１】特開２００３−１３５４３４号公報
【発明の概要】
【発明が解決しようとする課題】
【０００５】
上記のような光学式容積脈波法を用いた脈波形の測定においては、動脈血、静脈血、その他の体成分による光吸収が混合された状態から、周波数フィルタを用いて動脈血による光吸収の時間変動のみを分離する技術が、重要な役割を果たす。
【０００６】
ところで、人間の脈拍は、通常１分間に５０回〜１５０回程度であり、これは、周波数領域では、０．８Ｈｚ〜２．５Ｈｚ程度の信号に相当する。このような、比較的低い周波数帯域の信号を、直流成分（０Ｈｚ）と明確に分離するためには、急峻な遮断特性を有する周波数フィルタが用いられることとなる。
【０００７】
一般に、急峻な遮断特性を有するフィルタ回路は規模が大きくなる傾向があり、現実的な規模のフィルタ回路では、十分な性能を確保するのが困難であった。そのため、特に低灌流で十分な拍動が得られない場合などの悪条件下では、拍動成分の十分な分離が行えない等といった場合が生じうる。
【０００８】
そこで、本開示では、上記事情に鑑みて、急峻な遮断特性を有する周波数フィルタを用いることなく、動脈拍動成分の分離を行うことが可能な、測定装置、測定方法、プログラム及び記録媒体を提案する。
【課題を解決するための手段】
【０００９】
本開示によれば、生体の少なくとも一部に対して所定波長の光を照射して、当該生体をイメージセンサにより撮像し、前記生体による前記光の吸収度合いを測定する測定部と、前記測定部による測定データを利用して、前記生体の測定部位において前記生体の内部に存在する静脈に対応する位置を特定する静脈位置特定部と、前記測定部による測定データの時間変化と、前記静脈位置特定部により特定された前記静脈の位置と、に基づいて、前記測定データの時間変化のうち前記生体の内部に存在する動脈の拍動に由来する成分を分離する拍動成分分離部と、前記拍動成分分離部により分離された前記測定データの前記動脈の拍動に由来する成分を利用して、動脈血中の酸素飽和度を算出する酸素飽和度算出部と、を備える測定装置が提供される。
【００１０】
また、本開示によれば、生体の少なくとも一部に対して所定波長の光を照射して、当該生体をイメージセンサにより撮像し、前記生体による前記光の吸収度合いを測定することと、測定された測定データを利用して、前記生体の測定部位において前記生体の内部に存在する静脈に対応する位置を特定することと、前記測定データの時間変化と、特定された前記静脈の位置と、に基づいて、前記測定データの時間変化のうち前記生体の内部に存在する動脈の拍動に由来する成分を分離することと、分離された前記測定データの前記動脈の拍動に由来する成分を利用して、動脈血中の酸素飽和度を算出することと、を含む測定方法が提供される。
【００１１】
また、本開示によれば、生体の少なくとも一部に対して所定波長の光を照射して、当該生体をイメージセンサにより撮像し、前記生体による前記光の吸収度合いを測定する測定部と通信可能なコンピュータに、前記測定部による測定データを利用して、前記生体の測定部位において前記生体の内部に存在する静脈に対応する位置を特定する静脈位置特定機能と、前記測定部による測定データの時間変化と、前記静脈位置特定機能により特定された前記静脈の位置と、に基づいて、前記測定データの時間変化のうち前記生体の内部に存在する動脈の拍動に由来する成分を分離する拍動成分分離機能と、前記拍動成分分離機能により分離された前記測定データの前記動脈の拍動に由来する成分を利用して、動脈血中の酸素飽和度を算出する酸素飽和度算出機能と、を実現させるためのプログラムが提供される。
【００１２】
また、本開示によれば、生体の少なくとも一部に対して所定波長の光を照射して、当該生体をイメージセンサにより撮像し、前記生体による前記光の吸収度合いを測定する測定部と通信可能なコンピュータに、前記測定部による測定データを利用して、前記生体の測定部位において前記生体の内部に存在する静脈に対応する位置を特定する静脈位置特定機能と、前記測定部による測定データの時間変化と、前記静脈位置特定機能により特定された前記静脈の位置と、に基づいて、前記測定データの時間変化のうち前記生体の内部に存在する動脈の拍動に由来する成分を分離する拍動成分分離機能と、前記拍動成分分離機能により分離された前記測定データの前記動脈の拍動に由来する成分を利用して、動脈血中の酸素飽和度を算出する酸素飽和度算出機能と、を実現させるためのプログラムが記録された記録媒体が提供される。
【００１３】
また、本開示によれば、生体の少なくとも一部に対して所定波長の光を照射して、当該生体をイメージセンサにより撮像し、前記生体による前記光の吸収度合いを測定する測定部と、前記測定部による測定データを利用して、前記生体の測定部位において前記生体の内部に存在する静脈に対応する位置を特定する静脈位置特定部と、前記測定部による測定データの時間変化と、前記静脈位置特定部により特定された前記静脈の位置と、に基づいて、前記測定データの時間変化のうち前記生体の内部に存在する動脈の拍動に由来する成分を分離する拍動成分分離部と、前記拍動成分分離部により分離された前記測定データの前記動脈の拍動に由来する成分を利用して、動脈血中の酸素飽和度を算出する酸素飽和度算出部と、を備え、前記測定部は、所定波長を有する赤色光及び赤外光の少なくとも２種類の測定光を、前記生体に向かって射出する光源部と、複数のセンサが所定の配置で規則的に配設されており、前記光源部から射出され前記生体を透過した測定光を当該複数のセンサで検出する検出部と、を有する測定装置が提供される。
【００１４】
また、本開示によれば、生体の少なくとも一部に対して所定波長の光を照射して、当該生体をイメージセンサにより撮像し、前記生体による前記光の吸収度合いを測定することと、測定された測定データを利用して、前記生体の測定部位において前記生体の内部に存在する静脈に対応する位置を特定することと、前記測定データの時間変化と、特定された前記静脈の位置と、に基づいて、前記測定データの時間変化のうち前記生体の内部に存在する動脈の拍動に由来する成分を分離することと、分離された前記測定データの前記動脈の拍動に由来する成分を利用して、動脈血中の酸素飽和度を算出することと、を含み、前記光の吸収度合いを測定する際には、所定波長を有する赤色光及び赤外光の少なくとも２種類の測定光を、前記生体に向かって射出し、複数のセンサが所定の配置で規則的に配設されたセンサによって、前記生体を透過した測定光を検出する、測定方法が提供される。
【００１５】
本開示によれば、生体の少なくとも一部に対して所定波長の光が照射され、当該生体がイメージセンサにより撮像されることで、前記生体による前記光の吸収度合いが測定され、測定された測定データを利用して、前記生体の測定部位において前記生体の内部に存在する静脈に対応する位置が特定され、前記測定データの時間変化と、特定された前記静脈の位置と、に基づいて、前記測定データの時間変化のうち前記生体の内部に存在する動脈の拍動に由来する成分が分離され、分離された前記測定データの前記動脈の拍動に由来する成分を利用して、動脈血中の酸素飽和度が算出される。
【発明の効果】
【００１６】
以上説明したように本開示によれば、急峻な遮断特性を有する周波数フィルタを用いることなく、動脈拍動成分の分離を行うことが可能となる。
【図面の簡単な説明】
【００１７】
【図１】一般的なパルスオキシメータの構成について示した説明図である。
【図２】一般的なパルスオキシメータの構成について示した説明図である。
【図３】生体の皮膚組織と吸光度との関係を示した説明図である。
【図４】本開示の第１の実施形態に係る測定装置の構成を示したブロック図である。
【図５】同実施形態に係る測定部について説明するための説明図である。
【図６】同実施形態に係る測定部について説明するための説明図である。
【図７】同実施形態に係る静脈位置特定部について示したブロック図である。
【図８】同実施形態に係る拍動成分分離部の構成について示したブロック図である。
【図９】同実施形態に係る測定装置における生体の皮膚組織と吸光度との関係を示した説明図である。
【図１０】同実施形態に係る測定方法の全体的な流れの一例を示した流れ図である。
【図１１】同実施形態に係る静脈マスクの生成処理の流れの一例を示した流れ図である。
【図１２】同実施形態に係る静脈マスクの適用処理の流れの一例を示した流れ図である。
【図１３】本開示の実施形態に係る測定装置のハードウェア構成を示したブロック図である。
【発明を実施するための形態】
【００１８】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１９】
なお、説明は、以下の順序で行うものとする。
（１）パルスオキシメータの原理について
（２）第１の実施形態
（２−１）測定装置の構成について
（２−２）測定方法の流れについて
（３）本開示の実施形態に係る測定装置のハードウェア構成について
（４）まとめ
【００２０】
（パルスオキシメータの原理について）
本開示の実施形態に係る測定装置、測定方法、プログラム及び記録媒体について説明するに先立ち、光学式容積脈波法を用いた一般的なパルスオキシメータの原理について、図１〜図３を参照しながら、簡単に説明する。図１及び図２は、一般的なパルスオキシメータの構成について示した説明図である。図３は、生体の皮膚組織と吸光度との関係を示した説明図である。
【００２１】
パルスオキシメータは、経皮的に動脈血の酸素飽和度（ｐｅｒｃｕｔａｎｅｏｕｓ  ｏｘｙｇｅｎ  ｓａｔｕｒａｔｉｏｎ，ＳｐＯ２と呼ばれる。）を測定する機器である。このパルスオキシメータ７００は、図１に示したように、その構成要素として、一般的な脈波測定装置７０１を含む。
【００２２】
パルスオキシメータ７００は、測定プローブ７０３が接続された吸光度測定部７１５で、生体情報を測定する。測定プローブ７０３は、図１に示したように、発光部７１１と受光部７１３とで構成されており、後述するように、生体による光吸収の時間変化を測定する。測定プローブ７０３により測定された光吸収に関する測定結果は、周波数フィルタ７１７へと出力され、周波数フィルタ７１７において、動脈の拍動に由来する周波数成分（以下、単に「拍動成分」とも称する。）が分離される。分離された拍動成分に関する情報は、酸素飽和度算出部７１９へと出力され、拍動成分の振幅に基づいて、酸素飽和度が算出される。算出された酸素飽和度は、酸素飽和度出力部７２１へと出力され、酸素飽和度出力部７２１によりユーザへと出力される。
【００２３】
パルスオキシメータでは、生体に向けて照射する光（入射光）に、複数の波長の光を用いることが求められる。そのため、測定プローブ７０３には複数の発光部７１１が配置され、時分割で切り替えて用いられる。また、入射光には、生体内に届きやすいという理由から、赤色光から近赤外光の帯域に属する波長の光が用いられることが多い。
【００２４】
図２に示したように、パルスオキシメータ７００の測定プローブ７０３では、発光部７１１から入射光を生体の皮膚面に照射し、生体内で反射したり拡散したりして戻った出射光を、受光部７１３で受光する。このとき、入射光は、生体内に存在する動脈や静脈やその他の体組織によって一部吸収されて、出射光として観測されることとなる。
【００２５】
ここで、以下の式１１で表されるランベルト・ベール（Ｌａｍｂｅｒｔ−Ｂｅｅｒ）の法則が成り立つとすると、入射光と出射光の強度比から、物質の濃度を算出することができる。
【００２６】
【数１】
0005948831.tif 000002
【００２７】
ここで、上記式１１において、
Ｉ０：入射光強度
Ｉ１：出射光強度
ε：吸光係数
Ｃ：物質の濃度
ｌ：光路長
である。
【００２８】
特に、血液中のヘモグロビン（Ｈｂ）は、酸素との結合の有無によって吸光度が変化し、また、観測する波長によっても吸光度が異なる。従って、複数の波長で吸光度を測定することによって、酸素と結合していないヘモグロビン（Ｈｂ）と、酸素と結合したヘモグロビン（酸素化ヘモグロビン：ＨｂＯ２）の比率を求めることができる。
【００２９】
血液中に含まれる総ヘモグロビンのうち、酸素化ヘモグロビンの割合を、血中酸素飽和度と呼ぶ。生体情報として特に有用なものは動脈血の酸素飽和度ＳａＯ２（ａｒｔｅｒｉａｌ  ｏｘｙｇｅｎ  ｓａｔｕｒａｔｉｏｎ）であるが、この酸素飽和度ＳａＯ２は、以下の式１２で算出することができる。
【００３０】
【数２】
0005948831.tif 000003
【００３１】
なお、上記式１２において、
ＳａＯ２：動脈血酸素飽和度
ＣＨｂＯ２：酸素化ヘモグロビン濃度
ＣＨｂ：ヘモグロビン濃度
である。
【００３２】
ここで、先述のＳｐＯ２は、ＳａＯ２を経皮的に測定したものである。ＳｐＯ２は、非侵襲で測定が可能であることから、極めて広範囲で利用される反面、直接観血を行う測定法にどれだけ近い測定値を得ることができるかが課題となる。パルスオキシメータの国際標準規格（ＩＳＯ  ９９１９  ２００５）には、ＳｐＯ２が７０％〜１００％の範囲において、ＳａＯ２との誤差が４％以内であることが規定されている。
【００３３】
上述の通り、パルスオキシメータ７００における測定プローブ７０３の受光部７１３で観測される出射光は、入射光が体内における反射・散乱の過程で、体組織や血液成分による吸収を受けたものである。出射光強度を解析することでＳｐＯ２を算出することが可能であるが、ＳｐＯ２は動脈血の酸素飽和度であるから、出射光から動脈血以外による光吸収の影響を除外することが求められる。
【００３４】
入射光に光吸収をもたらす要素は、動脈血、静脈血、その他の体組織の３種類に大別することができる。このとき、出射光は、図３及び下記の式１３に示すような光吸収を受ける。下記の式１３は、上記式１１に示したランベルト・ベールの法則を拡張したものであり、拡張ランベルト・ベールの法則と呼ばれる。
【００３５】
【数３】
0005948831.tif 000004
【００３６】
ここで、上記式１３において、
λ：波長
ε：吸光係数
Ｃ：濃度
ｄ：光路長
である。
【００３７】
また、上記式１３において、最右辺第１項は、血液以外の成分に起因する光吸収を表しており、最右辺第２項は、静脈血に起因する光吸収を表しており、最右辺第３項は、動脈血に起因する光吸収を表しており、最右辺第４項は、生体内での拡散に起因する光吸収を表している。
【００３８】
パルスオキシメータは、上記３種類の要素のうち、動脈のみに拍動性があることを利用し、動脈血の吸光をその他の要素から分離する。すなわち、上記式１３を時間微分することで、拍動性を持たない（換言すれば、時間変化の無い）静脈及びその他の体組織による光吸収の影響を除去する。この微分操作は、信号処理においては、周波数フィルタによる直流成分の除去に相当するものであり、脈波形の抽出処理に他ならない。
【００３９】
上記式１２において、ＳａＯ２を算出するための未知数は、ヘモグロビン濃度（ＣＨｂ）と、酸素化ヘモグロビン濃度（ＣＨｂＯ２）の２種類であるため、２つの未知数を特定するために２つの測定結果を連立させることが求められる。従って、パルスオキシメータでは、少なくとも２つの波長を用いて測定が行われる。
【００４０】
いま、波長λ１，λ２の２種類の入射光で測定を行い、出射光強度の時間変化であるΔＯＤλ１，ΔＯＤλ２を求める場合を考える。この場合、２つの波長を用いて測定された出射光強度の時間変化は、上記式１３から、以下の式１４のように表すことができる。従って、未知数であるヘモグロビン濃度（ＣＨｂ）及び酸素化ヘモグロビン濃度（ＣＨｂＯ２）は、ヘモグロビン及び酸素化ヘモグロビンの吸光係数等と、測定結果とを用いて、以下の式１５に示したように算出することが可能となる。
【００４１】
【数４】
0005948831.tif 000005
【００４２】
従って、式１５を式１２に代入すると、以下の式１６を得ることができる。ここで、下記式１６において、パラメータα、β，Φは、以下の式１７ａ〜式１７ｃの通りである。
【００４３】
【数５】
0005948831.tif 000006
【００４４】
上記式１６の最右辺から明らかなように、ＳａＯ２の値は、パラメータΦに比例する関数として与えられることがわかる。パラメータΦは、上記式１７ｃのように、波長λ１と波長λ２で測定した脈波形の振幅の比である。また、パラメータα，βは、式１７ａ及び式１７ｂに示したように、ヘモグロビンの吸光係数から理論的に算出することが可能であるが、多くの場合には、事前に実験で求めた変換表に基づく校正を行うことで求めている。そのようにすることで、ランベルト・ベールの法則の成立する条件と、実際の生体における条件との乖離も含めた補正が可能となるからである。
【００４５】
このような方法がパルスオキシメータの動作原理であり、パルスオキシメータは、２種類の波長による測定結果を利用して、動脈血の酸素飽和度ＳｐＯ２を算出する。
【００４６】
このように、一般的なパルスオキシメータでは、動脈の拍動成分に対応する信号を分離するために周波数フィルタを利用することとなるが、動脈の拍動成分に対応する信号を明確に分離するためには、急峻な遮断特性を有する周波数フィルタを用いることが求められる。しかしながら、急峻な遮断特性を有する周波数フィルタ回路は規模が大きくなる傾向がある一方で、規模の小型化を図るために現実的な規模の周波数フィルタ回路を用いると、拍動成分の十分な分離が行えない可能性があるという、トレードオフの関係が成立していた。
【００４７】
そこで、本発明者らは、上述のような状況について鋭意検討を行った結果、以下で説明するような本開示の実施形態に係る測定装置及び測定方法に想到し、急峻な遮断特性を有する周波数フィルタを用いることなく、動脈拍動成分の分離を精度よく行うことが可能となった。
【００４８】
（第１の実施形態）
＜測定装置の構成について＞
以下では、図４〜図９を参照しながら、本開示の第１の実施形態に係る測定装置及び測定方法について、詳細に説明する。図４は、本実施形態に係る測定装置の構成を示したブロック図であり、図５及び図６は、本実施形態に係る測定部について説明するための説明図である。図７は、本実施形態に係る静脈位置特定部について示したブロック図であり、図８は、本実施形態に係る拍動成分分離部の構成について示したブロック図である。図９は、本実施形態に係る測定装置における生体の皮膚組織と吸光度との関係を示した説明図である。
【００４９】
本実施形態に係る測定装置１０は、図４に示したように、測定部１０１と、測定制御部１０３と、測定データ取得部１０５と、静脈位置特定部１０７と、拍動成分分離部１０９と、酸素飽和度算出部１１１と、測定結果出力部１１３と、記憶部１１５と、を主に備える。
【００５０】
本実施形態に係る測定部１０１は、生体の少なくとも一部を測定する測定プローブとして機能するものである。本実施形態に係る測定部１０１は、生体の少なくとも一部に対して所定波長の光を照射して、当該生体をイメージセンサにより撮像し、生体による光の吸収度合いを測定する。
【００５１】
この測定部１０１は、例えば図５に示したように、所定波長を有する赤色光（例えば、６６０ｎｍ前後）及び近赤外光（例えば、９４０ｎｍ前後）の少なくとも２種類の測定光を、生体に向かって射出する光源部と、複数のセンサが所定の配置で規則的に配設されており、光源部から射出され前記生体を透過した測定光を当該複数のセンサで検出する検出部（例えば、イメージセンサ）と、を有している。
【００５２】
測定部１０１の光源部は、赤色光及び近赤外光のそれぞれを入射光として生体の一部（測定部位）に照射して、測定部位の肌画像を撮像する。入射光が皮膚に照射されると、入射光は生体内で反射・拡散した後に、生体表面から出射光として出射し、イメージセンサを有する検出部により検出される。このとき、入射光は、動脈や、静脈や、その他の生体組織によって一部吸収されるため、出射光の光量は入射光の光量よりも減少している。検出部は、出射光の光量の分布を測定して、測定部位に関する測定データとする。
【００５３】
測定部位を撮影するための光学系としては、イメージセンサの位置ずれや、生体との距離変化の影響を避けるため、体表面に密着して撮影ができるような光学系が望ましい。このような光学系の一例として、図６に示したようなマイクロレンズアレイ（ＭＬＡ）光学系を挙げることができる。図６に示したようなＭＬＡ光学系を、適切な波長の入射光と組み合わせて用いると、イメージセンサを体表面に密着させた状態で、生体内の撮影が可能となる。
【００５４】
以下では、図６を参照しながら、本実施形態に係る測定部１０１の一例であるマイクロレンズアレイ光学系の構成について、具体的に説明する。
【００５５】
○光源について
光源１２１は、生体の測定部位を測定するために用いられ、所定の波長帯域に属する測定光を、生体表面に向かって射出する。この光源１２１は、測定光の射出面が生体表面と対向するように、所定のフレームＦに配設される。
【００５６】
先だって説明したように、光源１２１は、ヘモグロビン（還元ヘモグロビン）を測定するために用いられる赤色光（例えば、波長６６０ｎｍの赤色光）や、酸素化ヘモグロビンを測定するために用いられる近赤外光（例えば、波長９４０ｎｍの近赤外光）等を射出する。このような複数の波長の光は、例えば、光源１２１から時分割で射出される。
【００５７】
なお、前述の赤色光及び近赤外光の波長はあくまでも一例であって、本実施形態に係る測定装置１０の光源１２１が射出する光が、上記の例に限定されるわけではない。
【００５８】
このような光源１２１としては、例えば、発光ダイオード（Ｌｉｇｈｔ  Ｅｍｉｔｔｉｎｇ  Ｄｉｏｄｅ：ＬＥＤ）や小型のレーザ等を利用可能であり、このような発光デバイスが、光源１２１として１又は複数個設けられる。
【００５９】
また、光源１２１は、後述する測定制御部１０３により、上記測定光の射出タイミングや射出される測定光の強度等が制御される。
【００６０】
なお、光源１２１の配設されるフレームＦの形状は特に限定されるわけではないが、光源１２１と、後述する検出部との間に図６に示したような壁部を設けることで、このような壁部を、光源１２１から射出される光が検出部に入射することを防止する遮光壁として用いることが可能となる。
【００６１】
○検出部について
本実施形態に係る測定装置１０が備える検出部は、複数のセンサが所定の配置で規則的に配設されており、光源１２１から射出され生体内を透過した測定光を、複数のセンサで検出するものである。換言すれば、本実施形態に係る検出部は、いわゆるマルチタップセンサにより構成されている。
【００６２】
本実施形態に係る測定装置１０が備える検出部は、図６に示したように、例えば、光源１２１から射出された測定光が属する波長帯域の光を透過可能な透明基板１２３と、第１遮光体１２５と、マイクロレンズアレイ１２７と、第２遮光体１３１と、センサ１３３と、を主に備える。
【００６３】
透明基板１２３は、生体表面の一部が配設される部分である。この透明基板１２３は、測定処理で利用される波長の光を透過可能な基板を用いて形成される。光源１２１から射出され、生体内部を透過してきた測定光は、透明基板１２３を透過すると、第１遮光体１２５によって指向性が制御される。
【００６４】
第１遮光体１２５は、透明基板１２３を透過した測定光の指向性を制御する指向性制御板として機能するものであり、後述するマイクロレンズアレイ１２７において互いに隣り合うマイクロレンズ１２９の境界部に設けられている。このような第１遮光体１２５を設けることにより、各マイクロレンズ１２９に入射する測定光の指向性を制御することが可能となり、より高精度な測定を行うことが可能となる。第１遮光体１２５を通過した測定光は、マイクロレンズアレイ１２７へと導光される。
【００６５】
マイクロレンズアレイ１２７は、図６上段に示したように、受光レンズである複数のマイクロレンズ１２９から構成されており、各マイクロレンズ１２９は、所定の基板上にｘ方向及びｙ方向に沿って格子状に配列されている。各マイクロレンズ１２９は、マイクロレンズ１２９に入射した測定光を、後述するセンサ１３３へと導光する。マイクロレンズアレイ１２７は、像面湾曲が少なく深さ方向のひずみがないレンズアレイであるため、このようなマイクロレンズアレイ１２９を用いることで、良好な測定データを得ることができる。なお、マイクロレンズアレイ１２７を構成する各マイクロレンズ１２９の被写界深度は、本実施形態に係る測定装置１０で着目する皮膚構造を包括するように（例えば、体表から１０ｍｍの深さの範囲までがフォーカスされるように）設定される。
【００６６】
なお、本実施形態に係るマイクロレンズアレイ１２７に配設されるマイクロレンズ１２９の個数は、図６上段に示した例に限定されるわけではない。本実施形態に係るマイクロレンズアレイ１２７に配設されるマイクロレンズ１２９の個数は、撮像したい生体の大きさや、センサ１３３の大きさに応じて、自由に設定することが可能である。
【００６７】
マイクロレンズアレイ１２７に入射した測定光は、マイクロレンズ１２９により集光されて、後述するセンサ１３３へと結像されることとなる。
【００６８】
ここで、マイクロレンズアレイ１２７におけるセンサ１３３側に位置する面では、互いに隣り合うマイクロレンズ１２９の境界部に、第２遮光体１３１が設けられる。この第２遮光体１３１により、マイクロレンズアレイ１２７を透過した測定光の指向性を制御することが可能となり、各マイクロレンズ１２９に入射した光を、隣接するマイクロレンズ１２９に入射した光と分離することができる。これにより、本実施形態に係る測定装置１０では、センサ１３３に集光される測定光を選択することが可能となる。
【００６９】
センサ１３３は、図６上段に示したｘｙ平面の各位置における測定光の強度を検出する。このセンサ１３３は、光検出器（Ｐｈｏｔｏ  Ｄｅｔｅｃｔｏｒ：ＰＤ）等により受光した測定光の強度を電気信号に変換して、後述する測定データ取得部１０５へと出力する。このセンサ１３３としては、ＣＣＤ（Ｃｈａｒｇｅ  Ｃｏｕｐｌｅｄ  Ｄｅｖｉｃｅｓ）型画像センサ、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型画像センサ、有機ＥＬを受光素子としたセンサ、ＴＦＴ（Ｔｈｉｎ  Ｆｉｌｍ  Ｔｒａｎｓｉｓｔｏｒ）型画像センサや等の２次元エリアセンサを利用することができる。
【００７０】
このセンサ１３３は、後述する測定制御部１０３により走査タイミング等が制御され、例えば図６上段における任意の位置の検出強度を測定データ取得部１０５に出力することができる。
【００７１】
以上、図６を参照しながら、本実施形態に係る測定部１０１の構成の一例について、詳細に説明した。
【００７２】
以上説明したようなマイクロレンズアレイ光学系では、それぞれのマイクロレンズは、直下にある受光素子アレイの小領域に小さな像を結ぶ。これらの像は周囲の像と重複部分があるため、不要な部分を除いて再構成を行うことにより、重複のない１枚の完全な画像を得ることができる。ＭＬＡ光学系の画像処理においては、この再構成を行う際に、元画像から取り出す領域を変化させることで、異なる距離に焦点を合わせた画像を生成できるという特徴がある。すなわち、体表面に密着したまま、機械的な光学系の移動を伴わずに、体表面から数ミリメートルの深さに存在する皮下組織（例えば、静脈組織等）に焦点を合わせることができ、都合がよい。なお、動脈は体内の深いところにあって、光拡散の影響を強く受けるため、像を結ぶことはなく、動脈血の拍動による、広い面積の光吸収変化としてのみ観測される。
【００７３】
測定部１０１として、以上説明したようなマイクロレンズアレイ光学系を備えたイメージセンサを利用することにより、測定装置１０の小型化を図ることが可能となる。また、マイクロレンズアレイ光学系を利用することでより細かな血管（静脈）を撮像することが可能となり、後述する拍動成分分離部１０９における処理の精度を向上させることができる。
【００７４】
以上、図５及び図６を参照しながら、本実施形態に係る測定部１０１について、詳細に説明した。
以下では、再び図４に戻って、本実施形態に係る測定制御部１０３について説明する。
【００７５】
測定制御部１０３は、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、通信装置等により実現される。測定制御部１０３は、測定部１０１に設けられた光源部や検出部等の駆動制御を行うことにより、測定部１０１における生体の測定処理全般を統括する。より詳細には、測定制御部１０３は、所定の同期信号等に基づいて、検出部に用いられたイメージセンサの走査タイミングや、情報を取得するイメージセンサの画素の選択等といったセンサの駆動制御を行う。また、測定制御部１０３は、光源部に対しても、測定光の射出タイミングや強度に関する駆動制御を行う。
【００７６】
測定制御部１０３が以上のような駆動制御を行うことで、測定部１０１の光源部は、時分割で異なる波長の測定光を射出することが可能となるとともに、測定部１０１の検出部は、イメージセンサ上の任意の位置の測定データを時分割で取得することが可能となる。
【００７７】
測定制御部１０３により駆動制御された測定部１０１によって測定された測定データは、後述する測定データ取得部１０５へと出力されて、測定データの解析処理が実施される。
【００７８】
ここで、測定制御部１０３は、測定部１０１の制御を行うにあたり、後述する記憶部１１５等に記録されている各種のプログラムやパラメータやデータベース等を参照することが可能である。
【００７９】
測定データ取得部１０５は、例えば、ＣＰＵ、ＲＯＭ、ＲＡＭ、通信装置等により実現される。測定データ取得部１０５は、測定部１０１により測定された測定データ（所定波長の光を用いて撮像された測定部位の撮像データ）を測定部１０１から取得して、後述する静脈位置特定部１０７及び拍動成分分離部１０９に出力する。測定データ取得部１０５は、所定のタイミング毎に測定部１０１から出力される測定データを順次取得することで、後述する拍動成分分離部１０９や酸素飽和度算出部１１１は、測定データの時間変化を把握することが可能となる。
【００８０】
なお、測定データ取得部１０５は、取得した測定データを、当該データを取得した日時等に関する時刻情報と関連付けて、履歴情報として後述する記憶部１１５に格納してもよい。
【００８１】
静脈位置特定部１０７は、例えば、ＣＰＵ、ＲＯＭ、ＲＡＭ等により実現される。静脈位置特定部１０７は、測定部１０１によって測定された測定データを利用して、生体の測定部位において生体の内部に存在する静脈の位置を特定する。
【００８２】
測定部１０１に設けられた光源部から射出され体内に入射した測定光は、体内を散乱して検出部へと到達するが、生体内の静脈が存在する位置では、静脈血による光吸収が起こって、生体からの出射光の強度が減少することとなる。従って、測定部１０１により測定された撮像データでは、静脈に該当する位置は、周囲よりも輝度の低い領域として存在することとなる。以下では、撮像データに表される静脈の形状を示した画像を、静脈パターンと称することとする。
【００８３】
本実施形態に係る静脈位置特定部１０７は、例えば、測定データ取得部１０５から出力された測定データ（すなわち、測定部位の撮像画像）に対して、静脈パターン抽出の前処理を行なう機能と、静脈パターンの抽出を行なう機能と、静脈パターン抽出の後処理を行なう機能と、を有している。
【００８４】
ここで、上記の静脈パターン抽出の前処理は、例えば、静脈画像から指の輪郭を検出し、静脈画像のどの位置に指があるかを識別する処理や、検出した指の輪郭を利用して撮像画像を回転させて、撮像画像の角度を補正する処理等を含む。
【００８５】
また、上記の静脈パターンの抽出は、輪郭の検出や角度の補正が終了した撮像画像に対して差分フィルタを適用することで行なわれる。差分フィルタは、注目している画素とその周囲の画素について、注目している画素と周囲の画素との差分が大きな部分で、大きな値を出力値として出力するフィルタである。換言すれば、差分フィルタとは、注目している画素とその近傍の階調値の差分を用いた演算により、画像中の線や縁を強調するフィルタである。
【００８６】
一般的に、２次元平面の格子点（ｘ，ｙ）を変数とする画像データｕ（ｘ，ｙ）に対してフィルタｈ（ｘ，ｙ）を用いてフィルタ処理を行なうと、以下の式１０１に示すように、画像データν（ｘ，ｙ）が生成される。ここで、以下の式１０１において、‘＊’は畳込み積分（コンボリューション）を表す。
【００８７】
【数６】
0005948831.tif 000007
【００８８】
本実施形態に係る静脈パターンの抽出では、上記の差分フィルタとして、１次空間微分フィルタや２次空間微分フィルタ等の微分フィルタを用いてもよい。１次空間微分フィルタは、注目している画素について、横方向と縦方向の隣接している画素の階調値の差分を算出するフィルタであり、２次空間微分フィルタは、注目している画素について、階調値の差分の変化量が大きくなっている部分を抽出するフィルタである。
【００８９】
上記の２次空間微分フィルタとして、例えば、以下に示すＬｏｇ（Ｌａｐｌａｃｉａｎ  ｏｆ  Ｇａｕｓｓｉａｎ）フィルタを用いることが可能である。Ｌｏｇフィルタ（式１０３）は、ガウス関数を用いた平滑化フィルタであるガウシアン（Ｇａｕｓｓｉａｎ）フィルタ（式１０２）の２次微分で表される。ここで、以下の式１０２において、σはガウス関数の標準偏差を表し、ガウシアンフィルタの平滑化の度合いを表す変数である。また、以下の式１０３におけるσは、式１０２と同様にガウス関数の標準偏差を表すパラメータであり、σの値を変化させることで、Ｌｏｇフィルタ処理を行なった場合の出力値を変化させることができる。
【００９０】
【数７】
0005948831.tif 000008
【００９１】
また、上記の静脈パターン抽出の後処理は、例えば、差分フィルタ適用後の撮像画像に対してなされる閾値処理や、２値化処理や、細線化処理等を含む。かかる後処理を経て、静脈パターンのスケルトンを抽出することが可能となる。
【００９２】
静脈位置特定部１０７は、以上説明したような方法で静脈パターンを抽出すると、抽出した静脈パターンに基づいて、生体の測定部位において生体の内部に存在する静脈の位置を表す情報を生成する。なお、以下では、この静脈の位置を表す情報を、静脈マスクと称することとする。
【００９３】
以下、図７を参照しながら、静脈位置特定部１０７によって生成される静脈マスクについて、簡単に説明する。
【００９４】
図７（ａ）は、本実施形態に係る測定部１０１によって撮像された撮像画像であり、図７（ｂ）は、図７（ａ）に示した撮像画像から抽出された静脈パターンを示した模式図である。図７（ａ）を参照すると、静脈の形状が暗く浮かび上がっていることがわかる。これは、静脈血によって入射光の吸収がおこったためである。従って、例えば図７（ａ）に示したような撮像画像において周囲よりも輝度値が暗い領域は、静脈が存在する位置であると判断することができる。
【００９５】
本実施形態に係る静脈位置特定部１０７は、図７（ａ）に示したような撮像画像を利用して図７（ｂ）に示したような静脈パターンを抽出すると、続いて、図７（ｃ）に示したように、静脈パターンを複数の小領域に分割する。ここで、小領域への分割数は、特に限定されるわけではなく、撮像画像の画素数や求める測定精度等に応じて、適宜決定すればよい。
【００９６】
静脈位置特定部１０７は、図７（ｃ）に示した小領域毎の平均輝度が、所定の閾値より明るいか否か（平均輝度が所定の閾値よりも大きいか否か）を判定して、静脈パターンを２値化する。すなわち、静脈位置特定部１０７は、所定の閾値以上の平均輝度を有する小領域の画素値を１として取り扱うとともに、所定の閾値未満の平均輝度を有する小領域の画素値を０として取り扱うことで、図７（ｄ）に示したように、静脈パターンの２値化画像を生成することができる。静脈位置特定部１０７は、このような静脈パターンの２値化画像を、静脈マスクとして利用する。
【００９７】
静脈位置特定部１０７は、このようにして静脈マスクを生成すると、生成した静脈マスクを、後述する拍動成分分離部１０９へと出力する。
【００９８】
なお、以上のような静脈マスクの生成は、１回の脈波測定について最初に１枚作成すれば十分であるが、２枚以上の静脈マスクが生成されてもよい。また、静脈位置特定部１０７により行われる静脈パターンの抽出処理の詳細は、上記の処理方法に限定されるわけではなく、公知の任意の処理方法を利用することが可能である。
【００９９】
再び図４に戻って、本実施形態に係る拍動成分分離部１０９について説明する。
本実施形態に係る拍動成分分離部１０９は、例えば、ＣＰＵ、ＲＯＭ、ＲＡＭ等により実現される。拍動成分分離部１０９は、測定部１０１による測定データの時間変化と、静脈位置特定部１０７により特定された静脈の位置と、に基づいて、測定データの時間変化のうち生体の内部に存在する動脈の拍動に由来する成分を分離する。
【０１００】
この拍動成分分離部１０９は、図８に示したように、空間フィルタ部１４１と、周波数フィルタ部１４３と、を備える。
【０１０１】
空間フィルタ部１４１は、例えば、ＣＰＵ、ＲＯＭ、ＲＡＭ等により実現される。空間フィルタ部１４１は、静脈位置特定部１０７により特定された静脈の位置（すなわち、静脈マスク）に基づいて、測定部位を連続撮像して得られた複数の測定データから、静脈の位置に該当するデータを除外する。その後、空間フィルタ部１４１は、静脈の部位を除外し、静脈がない位置にある受光素子の測定データ毎に、平均輝度を算出する。このようにして算出した平均輝度を画像フレーム毎に時系列で並べることで、空間フィルタ部１４１は、図７に示したようなそれぞれの小領域について、静脈血以外の体組織（すなわち、動脈血及びその他の体組織）による吸光度の時間変化データを生成することができる。
【０１０２】
静脈のない位置で測定される光吸収は、図９に示したように、最初から静脈血に由来する光吸収成分を除外した状態にある。静脈の存在しない位置で受光した光は、静脈血による光吸収を受けていないため、静脈の存在する位置で受光した光と比較して、測定したい動脈血の光吸収成分の割合が相対的に大きくなる。従って、静脈マスク画像を参照し、静脈の存在しない位置での測定データを利用することで、信号対雑音比（Ｓｉｇｎａｌ  ｔｏ  Ｎｏｉｓｅ  Ｒａｔｉｏ：Ｓ／Ｎ）を向上させることが可能となる。
【０１０３】
このように、撮像画像から静脈と認識された空間的な位置に基づく分離を行う処理は、空間フィルタによる情報分離に相当する処理であることがわかる。
【０１０４】
空間フィルタ部１４１は、静脈マスク及び測定データを利用して、吸光度の時間変化データを生成すると、生成した時間変化データを、後述する周波数フィルタ部１４３へと出力する。
【０１０５】
周波数フィルタ部１４３は、例えば、ＣＰＵ、ＲＯＭ、ＲＡＭ等により実現される。周波数フィルタ部１４３は、空間フィルタ部１４１から出力された、静脈の位置に該当するデータが除外された測定データから、所定の周波数成分を分離する。これにより、周波数フィルタ部１４３は、空間フィルタ部１４１から出力された時間変化データから、直流成分（すなわち、図９におけるその他の体組織に由来する成分）を除外する。このようにして生成されたデータが、動脈の拍動を表す脈波形データである。
【０１０６】
周波数フィルタ部１４３は、このようにして生成された動脈の拍動を表す脈波形データを、後述する測定結果出力部１１３へと出力する。また、本実施形態に係る測定装置１０において、酸素飽和度ＳｐＯ２を算出する場合には、周波数フィルタ部１４３は、生成した脈波形データを、後述する酸素飽和度算出部１１１へと出力する。
【０１０７】
以上説明したように、本実施形態に係る拍動成分分離部１０９では、撮像画像上で、静脈と認識された空間的な位置を分離した上で、分離後のデータを周波数フィルタにより処理する。これにより、周波数フィルタに求められる遮断周波数特性を緩和することができ、急峻な遮断特性を有する周波数フィルタを用いることなく、動脈の拍動成分を精度よく分離することが可能となる。
【０１０８】
なお、周波数フィルタ部１４３は、生成した動脈の拍動を表す脈波形データを、当該データを生成した時刻等に関する時刻情報と関連付けて、履歴情報として後述する記憶部１１５等に格納してもよい。
【０１０９】
酸素飽和度算出部１１１は、例えば、ＣＰＵ、ＲＯＭ、ＲＡＭ等により実現される。酸素飽和度算出部１１１は、拍動成分分離部１０９により分離された動脈の拍動に由来する成分（すなわち、脈波形データ）を利用して、動脈血中の酸素飽和度を算出する。より詳細には、酸素飽和度算出部１１１は、赤色光を用いて測定された測定データから生成された脈波形データと、赤外光を用いて測定された測定データから生成された脈波形データと、を利用して、ヘモグロビン濃度及び酸素化ヘモグロビン濃度を算出する。その上で、酸素飽和度算出部１１１は、算出したヘモグロビン濃度及び酸素化ヘモグロビン濃度を利用して、酸素飽和度を算出する。
【０１１０】
酸素飽和度の算出方法は、特に限定されるものではないが、例えば、先だって説明したような、式１６〜式１７ｃに基づく酸素飽和度の算出方法を利用することが可能である。
【０１１１】
酸素飽和度算出部１１１は、脈波形データを利用して算出したヘモグロビン濃度及び酸素化ヘモグロビン濃度を利用して酸素飽和度ＳｐＯ２を算出すると、算出した酸素飽和度ＳｐＯ２に関する情報を、後述する測定結果出力部１１３へと出力する。また、酸素飽和度算出部１１１は、算出した酸素飽和度に関する情報を、当該情報を生成した日時等の時刻情報と関連付けて、履歴情報として後述する記憶部１１５に格納してもよい。
【０１１２】
測定結果出力部１１３は、例えば、ＣＰＵ、ＲＯＭ、ＲＡＭ、出力装置、通信装置等により実現される。測定結果出力部１１３は、拍動成分分離部１０９が生成した脈波形データや、酸素飽和度算出部１１１が算出した酸素飽和度ＳｐＯ２に関する情報といった、動脈の拍動成分を解析することにより得ることができる特徴データや特徴量を出力する。測定結果出力部１１３は、このような動脈の拍動成分に由来する各種の情報を、測定装置１０が備えるディスプレイ等の出力装置に出力してもよいし、プリンタ等を利用して紙媒体としてユーザに出力してもよい。また、測定結果出力部１１３は、得られた動脈の拍動成分に由来する各種の情報を、測定装置１０の外部に設けられたディスプレイや各種の情報処理装置等に出力してもよい。
【０１１３】
測定結果出力部１１３が、動脈の拍動成分に由来する各種の情報を出力することで、本実施形態に係る測定装置１０のユーザは、測定結果を把握することが可能となる。
【０１１４】
記憶部１１５は、本実施形態に係る測定装置１０に設けられたＲＡＭやストレージ装置等により実現される。記憶部１１５には、上記式１６に示した定数α，βに関する変換表等といった、測定装置１０における各種の処理で用いられる光吸収スペクトルのデータや、各種のデータベースやルックアップテーブル等が格納されている。また、記憶部１１５には、本実施形態に係る測定部１０１により測定された測定データや、本実施形態に係る測定装置１０が実施する処理に用いられる各種のプログラムやパラメータやデータ等が記録されていてもよい。また、記憶部１１５には、これらのデータ以外にも、測定装置１０が、何らかの処理を行う際に保存する必要が生じた様々なパラメータや処理の途中経過等を適宜記憶することが可能である。この記憶部１１５は、測定部１０１、測定制御部１０３、測定データ取得部１０５、静脈位置特定部１０７、拍動成分分離部１０９、酸素飽和度算出部１１１、測定結果出力部１１３等の各処理部が、自由にアクセスし、データを書き込んだり読み出したりすることができる。
【０１１５】
以上、図４〜図９を参照しながら、本実施形態に係る測定装置１０の構成について、詳細に説明した。
【０１１６】
なお、本実施形態に係る測定制御部１０３、測定データ取得部１０５、静脈位置特定部１０７、拍動成分分離部１０９、酸素飽和度算出部１１１及び測定結果出力部１１３は、本実施形態に係る測定装置１０の一部として実現されていてもよいし、測定装置１０に接続されているコンピュータ等の外部機器に実現されていてもよい。また、測定部１０１によって生成される測定データがリムーバブル記憶媒体等に格納され、この記憶媒体が測定装置１０から取り外されて、測定データ取得部１０５、静脈位置特定部１０７、拍動成分分離部１０９、酸素飽和度算出部１１１及び測定結果出力部１１３を有する他の装置に接続されることで、測定データが解析されてもよい。
【０１１７】
以上、本実施形態に係る測定装置１０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【０１１８】
なお、上述のような本実施形態に係る測定装置の各機能を実現するためのコンピュータプログラムを作製し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【０１１９】
＜測定方法について＞
続いて、図１０〜図１２を参照しながら、本実施形態に係る測定装置１０で実施される測定方法の流れについて、詳細に説明する。図１０は、本実施形態に係る測定方法の全体的な流れの一例を示した流れ図である。図１１は、本実施形態に係る静脈マスクの生成処理の流れの一例を示した流れ図であり、図１２は、本実施形態に係る静脈マスクの適用処理の流れの一例を示した流れ図である。
【０１２０】
［測定方法の全体的な流れ］
まず、図１０を参照しながら、本実施形態に係る測定方法の全体的な流れについて説明する。
まず、本実施形態に係る測定装置１０の測定部１０１は、測定制御部１０３による制御のもとで、測定部１０１に載置された生体の測定部位を測定し（ステップＳ１０１）、静脈マスク作成のための初期画像（静脈マスク用画像）を取得する（ステップＳ１０３）。測定部１０１は、得られた静脈マスク用画像を測定データ取得部１０５に出力し、測定データ取得部１０５は、出力された静脈マスク用画像を、静脈位置特定部１０７に出力する。
【０１２１】
静脈位置特定部１０７は、測定データ取得部１０５から出力された静脈マスク用画像に基づいて、静脈マスクを生成する（ステップＳ１０５）。静脈位置特定部１０７は、静脈マスクを生成すると、生成した静脈マスクを、拍動成分分離部１０９へと出力する。
【０１２２】
その後、本実施形態に係る測定装置１０の測定部１０１は、測定制御部１０３による制御のもとで、脈波測定のための最初の測定データ（画像データ）を取得する（ステップＳ１０７）。その後、測定部１０１は、得られた画像を測定データ取得部１０５に出力し、測定データ取得部１０５は、出力された測定データ（画像データ）を、拍動成分分離部１０９へと出力する。
【０１２３】
拍動成分分離部１０９の空間フィルタ部１４１は、測定データ取得部１０７から出力された画像に対して、静脈位置特定部１０５により生成された静脈マスクを適用して（ステップＳ１０９）、静脈が存在する位置を除外した測定データを生成する。その後、空間フィルタ部１４１は、得られたデータを利用して平均輝度値を算出し、得られた平均輝度値のデータを周波数フィルタ部１４３に出力する。
【０１２４】
周波数フィルタ部１４３は、空間フィルタ部１４１から出力された、平均輝度値のデータの時系列に対して周波数フィルタを適用し（ステップＳ１１１）、直流成分を除去した後、得られたデータ（すなわち、脈波形データ）を酸素飽和度算出部１１１に出力する。
【０１２５】
ここで、測定制御部１０３は、所望の測定時間だけ測定をしたか否かを判断し（ステップＳ１１３）、所望の測定時間分の測定を完了していない場合には、測定部１０１に次の画像を取得させる（ステップＳ１１５）。測定部１０１は、次の画像を取得すると、取得した画像を測定データ取得部１０５に出力し、測定データ取得部１０５は、取得したデータを拍動成分分離部１０９に出力する。その後、拍動成分分離部１０９では、ステップＳ１０９以降の処理を継続して実施することとなる。
【０１２６】
一方、所望の測定時間分の測定が終了している場合には、酸素飽和度算出部１１１は、得られた脈波形データの時系列の推移に基づいて、酸素飽和度を算出する（ステップＳ１１７）。その後、酸素飽和度算出部１１１は、得られた酸素飽和度に関する情報を、測定結果出力部１１３に出力する。
【０１２７】
以上のような処理が行われることにより、本実施形態に係る測定装置１０では、測定部位の脈波形データを測定して、酸素飽和度を算出することができる。
【０１２８】
［静脈マスクの生成処理について］
次に、図１１を参照しながら、静脈位置特定部１０７により実施される静脈マスク画像の生成処理の流れについて、簡単に説明する。
静脈位置特定部１０７は、まず、測定データ取得部１０５から出力された、静脈マスク用画像を、複数の小領域に分割する（ステップＳ１２１）。その後、静脈位置特定部１０７は、最初の小領域を選択して（ステップＳ１２３）、選択した小領域内の各画素の輝度値を積分する。
【０１２９】
次に、静脈位置特定部１０７は、積分することで得られた輝度値を、事前に設定した所定の閾値と比較する（ステップＳ１２５）。積分することで得られた輝度値が所定の閾値以上である場合には、静脈位置特定部１０７は、選択した小領域が静脈による光吸収を受けている領域（以下、静脈領域とも称する。）であると特定する（ステップＳ１２９）。一方、積分することで得られた輝度値が所定の閾値未満である場合には、静脈位置特定部１０７は、選択した小領域が静脈による影響を受けていない領域（以下、非静脈領域とも称する。）であると特定する（ステップＳ１３１）。
【０１３０】
その後、静脈位置特定部１０７は、全ての小領域に対して処理を実施したか否かを判断する（ステップＳ１３３）。全ての小領域に対して処理を実施していない場合には、静脈位置特定部１０７は、次の小領域を選択し（ステップＳ１３５９、ステップＳ１２５を再び実施する。一方、全ての小領域に対して処理を実施した場合には、静脈マスク画像を生成することができたと判断し、処理を終了する。
【０１３１】
［静脈マスクの適用処理について］
次に、図１２を参照しながら、空間フィルタ部１４１により実施される静脈マスク画像の適用処理の流れについて、簡単に説明する。
空間フィルタ部１４１で実施される静脈マスクの適用処理は、静脈マスク及び測定部位を連続撮影して得られた複数の測定データ（画像データ）を用いて、画像毎の平均輝度を測定する処理である。具体的には、空間フィルタ部１４１は、連続撮影で得られた各画像フレームについて、以下の操作を行う。
【０１３２】
空間フィルタ部１４１は、まず、測定データ取得部１０５から出力された画像データを、複数の小領域に分割する（ステップＳ１４１）。その後、空間フィルタ部１４１は、複数の小領域のうち、最初の小領域を選択する（ステップＳ１４３）。
【０１３３】
続いて、空間フィルタ部１４１は、静脈位置特定部１０７から出力された静脈マスクを参照して、選択している小領域が静脈領域としてマークされているか否かを判断する（ステップＳ１４５）。選択している小領域が静脈領域ではない場合、空間フィルタ部１４１は、選択した小領域内の各画素の輝度値を積分し（ステップＳ１４７）、続いて、積分した輝度値を全体輝度値に積算する（ステップＳ１４９）。一方、選択している小領域が静脈領域である場合、空間フィルタ部１４１は、上記ステップＳ１４７及びステップＳ１４９を実施せずに、後述するステップＳ１５１を実施する。
【０１３４】
次に、空間フィルタ部１４１は、全ての小領域に対して処理を実施したか否かを判断する（ステップＳ１５１）。全ての小領域に対して処理を実施していない場合には、空間フィルタ部１４１は、次の小領域を選択して（ステップＳ１５３）、上記ステップＳ１４５を再び実施する。一方、全ての小領域に対して処理を実施した場合には、空間フィルタ部１４１は、全体輝度値を、積算に用いた画素の総数で除算する。これにより、静脈マスクにおける静脈領域の数によらず、１画素あたりの平均輝度値に正規化が行われることとなる（ステップＳ１５５）。空間フィルタ部１４１は、以上の処理を実施することで、各画像フレームの１画素あたりの平均輝度値を算出する。
【０１３５】
なお、上記ステップＳ１５５において、正規化のための除算を行わない構成も考えられる。この場合は、複数の受光素子の出力を加算することになり、受光面積が増えて感度が高くなるという効果を得ることができる。
【０１３６】
以上、図１０〜図１２を参照しながら、本実施形態に係る測定装置１０で実施される測定方法の流れについて説明した。
【０１３７】
（ハードウェア構成について）
次に、図１３を参照しながら、本開示の実施形態に係る測定装置１０のハードウェア構成について、詳細に説明する。図１３は、本開示の実施形態に係る測定装置１０のハードウェア構成を説明するためのブロック図である。
【０１３８】
測定装置１０は、主に、ＣＰＵ９０１と、ＲＯＭ９０３と、ＲＡＭ９０５と、を備える。また、測定装置１０は、更に、ホストバス９０７、ブリッジ９０９、外部バス９１１、インターフェース９１３、センサ９１４、入力装置９１５、出力装置９１７、ストレージ装置９１９、ドライブ９２１、接続ポート９２３および通信装置９２５を備える。
【０１３９】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、測定装置１０内の動作全般またはその一部を制御する。ＲＯＭ９０３は、ＣＰＵ９０１が使用するプログラムや演算パラメータ等を記憶する。ＲＡＭ９０５は、ＣＰＵ９０１が使用するプログラムや、プログラムの実行において適宜変化するパラメータ等を一次記憶する。これらはＣＰＵバス等の内部バスにより構成されるホストバス９０７により相互に接続されている。
【０１４０】
ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。
【０１４１】
センサ９１４は、例えば、ユーザに固有の生体情報、または、かかる生体情報を取得するために用いられる各種情報を検出する検出手段である。このセンサ９１４として、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の各種の撮像素子を挙げることができる。また、センサ９１４は、生体部位を撮像するために用いられるレンズ等の光学系や光源等を更に有していてもよい。また、センサ９１４は、音声等を取得するためのマイクロフォン等であってもよい。なお、センサ９１４は、上述のもの以外にも、温度計、照度計、湿度計、速度計、加速度計などの様々な測定機器を備えていてもよい。
【０１４２】
入力装置９１５は、例えば、マウス、キーボード、タッチパネル、ボタン、スイッチおよびレバーなどユーザが操作する操作手段である。また、入力装置９１５は、例えば、赤外線やその他の電波を利用したリモートコントロール手段（いわゆる、リモコン）であってもよいし、測定装置１０の操作に対応した携帯電話やＰＤＡ等の外部接続機器９２９であってもよい。さらに、入力装置９１５は、例えば、上記の操作手段を用いてユーザにより入力された情報に基づいて入力信号を生成し、ＣＰＵ９０１に出力する入力制御回路などから構成されている。測定装置１０のユーザは、この入力装置９１５を操作することにより、測定装置１０に対して各種のデータを入力したり処理動作を指示したりすることができる。
【０１４３】
出力装置９１７は、取得した情報をユーザに対して視覚的または聴覚的に通知することが可能な装置で構成される。このような装置として、ＣＲＴディスプレイ装置、液晶ディスプレイ装置、プラズマディスプレイ装置、ＥＬディスプレイ装置およびランプなどの表示装置や、スピーカおよびヘッドホンなどの音声出力装置や、プリンタ装置、携帯電話、ファクシミリなどがある。出力装置９１７は、例えば、測定装置１０が行った各種処理により得られた結果を出力する。具体的には、表示装置は、測定装置１０が行った各種処理により得られた結果を、テキストまたはイメージで表示する。他方、音声出力装置は、再生された音声データや音響データ等からなるオーディオ信号をアナログ信号に変換して出力する。
【０１４４】
ストレージ装置９１９は、測定装置１０の記憶部の一例として構成されたデータ格納用の装置である。ストレージ装置９１９は、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。このストレージ装置９１９は、ＣＰＵ９０１が実行するプログラムや各種データ、および外部から取得した各種データなどを格納する。
【０１４５】
ドライブ９２１は、記録媒体用リーダライタであり、測定装置１０に内蔵、あるいは外付けされる。ドライブ９２１は、装着されている磁気ディスク、光ディスク、光磁気ディスク、または半導体メモリ等のリムーバブル記録媒体９２７に記録されている情報を読み出して、ＲＡＭ９０５に出力する。また、ドライブ９２１は、装着されている磁気ディスク、光ディスク、光磁気ディスク、または半導体メモリ等のリムーバブル記録媒体９２７に記録を書き込むことも可能である。リムーバブル記録媒体９２７は、例えば、ＤＶＤメディア、ＨＤ−ＤＶＤメディア、Ｂｌｕ−ｒａｙメディア等である。また、リムーバブル記録媒体９２７は、コンパクトフラッシュ（登録商標）（ＣｏｍｐａｃｔＦｌａｓｈ：ＣＦ）、フラッシュメモリ、または、ＳＤメモリカード（Ｓｅｃｕｒｅ  Ｄｉｇｉｔａｌ  ｍｅｍｏｒｙ  ｃａｒｄ）等であってもよい。また、リムーバブル記録媒体９２７は、例えば、非接触型ＩＣチップを搭載したＩＣカード（Ｉｎｔｅｇｒａｔｅｄ  Ｃｉｒｃｕｉｔ  ｃａｒｄ）または電子機器等であってもよい。
【０１４６】
接続ポート９２３は、機器を測定装置１０に直接接続するためのポートである。接続ポート９２３の一例として、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート等がある。接続ポート９２３の別の例として、ＲＳ−２３２Ｃポート、光オーディオ端子、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ポート等がある。この接続ポート９２３に外部接続機器９２９を接続することで、測定装置１０は、外部接続機器９２９から直接各種データを取得したり、外部接続機器９２９に各種データを提供したりする。
【０１４７】
通信装置９２５は、例えば、通信網９３１に接続するための通信デバイス等で構成された通信インターフェースである。通信装置９２５は、例えば、有線または無線ＬＡＮ（Ｌｏｃａｌ  Ａｒｅａ  Ｎｅｔｗｏｒｋ）、Ｂｌｕｅｔｏｏｔｈ（登録商標）、またはＷＵＳＢ（Ｗｉｒｅｌｅｓｓ  ＵＳＢ）用の通信カード等である。また、通信装置９２５は、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、または、各種通信用のモデム等であってもよい。この通信装置９２５は、例えば、インターネットや他の通信機器との間で、例えばＴＣＰ／ＩＰ等の所定のプロトコルに則して信号等を送受信することができる。また、通信装置９２５に接続される通信網９３１は、有線または無線によって接続されたネットワーク等により構成され、例えば、インターネット、家庭内ＬＡＮ、赤外線通信、ラジオ波通信または衛星通信等であってもよい。
【０１４８】
以上、本開示の実施形態に係る測定装置１０の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【０１４９】
（まとめ）
以上説明したように、本開示の実施形態では、静脈パターン画像を基に、静脈の存在しない位置にある受光素子で取得された情報のみを利用することで、最初から静脈血による光吸収成分が除外された、より信号雑音比が高い状態のデータを、周波数フィルタに入力することができるようになる。すなわち、空間フィルタによって分離可能な情報を事前に分離したデータを、周波数フィルタに入力する方法を採用することにより、周波数フィルタに求められる遮断周波数特性を緩和することができる。その結果、より簡素な構成の周波数フィルタを用いた場合であっても、優れた拍動成分の分離処理（脈波形の分離処理）を実現することが可能となる。
【０１５０】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１５１】
なお、以下のような構成も本開示の技術的範囲に属する。
（１）
生体の少なくとも一部に対して所定波長の光を照射して、当該生体をイメージセンサにより撮像し、前記生体による前記光の吸収度合いを測定する測定部と、
前記測定部による測定データを利用して、前記生体の測定部位において前記生体の内部に存在する静脈に対応する位置を特定する静脈位置特定部と、
前記測定部による測定データの時間変化と、前記静脈位置特定部により特定された前記静脈の位置と、に基づいて、前記測定データの時間変化のうち前記生体の内部に存在する動脈の拍動に由来する成分を分離する拍動成分分離部と、
前記拍動成分分離部により分離された前記測定データの前記動脈の拍動に由来する成分を利用して、動脈血中の酸素飽和度を算出する酸素飽和度算出部と、
を備える、測定装置。
（２）
前記拍動成分分離部は、
前記静脈位置特定部により特定された前記静脈の位置に基づいて、前記測定データから前記静脈の位置に該当するデータを除外する空間フィルタ部と、
前記静脈の位置に該当するデータが除外された前記測定データから、所定の周波数成分を分離する周波数フィルタ部と、
を有する、（１）に記載の測定装置。
（３）
前記測定部は、
所定波長を有する赤色光及び赤外光の少なくとも２種類の測定光を、前記生体に向かって射出する光源部と、
複数のセンサが所定の配置で規則的に配設されており、前記光源部から射出され前記生体を透過した測定光を当該複数のセンサで検出する検出部と、
を備える、（１）又は（２）に記載の測定装置。
（４）
前記検出部は、複数のレンズが格子状に規則的に配設されたマイクロレンズアレイを利用したセンサにより、前記生体を透過した測定光を検出する、（３）に記載の測定装置。
（５）
前記酸素飽和度算出部は、前記赤色光を用いて測定された前記測定データと、前記赤外光を用いて測定された前記測定データと、を利用して、ヘモグロビン濃度及び酸素化ヘモグロビン濃度を算出し、算出した前記ヘモグロビン濃度及び酸素化ヘモグロビン濃度を利用して、前記酸素飽和度を算出する、（３）又は（４）に記載の測定装置。
（６）
生体の少なくとも一部に対して所定波長の光を照射して、当該生体をイメージセンサにより撮像し、前記生体による前記光の吸収度合いを測定することと、
測定された測定データを利用して、前記生体の測定部位において前記生体の内部に存在する静脈に対応する位置を特定することと、
前記測定データの時間変化と、特定された前記静脈の位置と、に基づいて、前記測定データの時間変化のうち前記生体の内部に存在する動脈の拍動に由来する成分を分離することと、
分離された前記測定データの前記動脈の拍動に由来する成分を利用して、動脈血中の酸素飽和度を算出することと、
を含む、測定方法。
（７）
生体の少なくとも一部に対して所定波長の光を照射して、当該生体をイメージセンサにより撮像し、前記生体による前記光の吸収度合いを測定する測定部と通信可能なコンピュータに、
前記測定部による測定データを利用して、前記生体の測定部位において前記生体の内部に存在する静脈に対応する位置を特定する静脈位置特定機能と、
前記測定部による測定データの時間変化と、前記静脈位置特定機能により特定された前記静脈の位置と、に基づいて、前記測定データの時間変化のうち前記生体の内部に存在する動脈の拍動に由来する成分を分離する拍動成分分離機能と、
前記拍動成分分離機能により分離された前記測定データの前記動脈の拍動に由来する成分を利用して、動脈血中の酸素飽和度を算出する酸素飽和度算出機能と、
を実現させるためのプログラム。
（８）
生体の少なくとも一部に対して所定波長の光を照射して、当該生体をイメージセンサにより撮像し、前記生体による前記光の吸収度合いを測定する測定部と通信可能なコンピュータに、
前記測定部による測定データを利用して、前記生体の測定部位において前記生体の内部に存在する静脈に対応する位置を特定する静脈位置特定機能と、
前記測定部による測定データの時間変化と、前記静脈位置特定機能により特定された前記静脈の位置と、に基づいて、前記測定データの時間変化のうち前記生体の内部に存在する動脈の拍動に由来する成分を分離する拍動成分分離機能と、
前記拍動成分分離機能により分離された前記測定データの前記動脈の拍動に由来する成分を利用して、動脈血中の酸素飽和度を算出する酸素飽和度算出機能と、
を実現させるためのプログラムが記録された記録媒体。
（９）
生体の少なくとも一部に対して所定波長の光を照射して、当該生体をイメージセンサにより撮像し、前記生体による前記光の吸収度合いを測定する測定部と、
前記測定部による測定データを利用して、前記生体の測定部位において前記生体の内部に存在する静脈に対応する位置を特定する静脈位置特定部と、
前記測定部による測定データの時間変化と、前記静脈位置特定部により特定された前記静脈の位置と、に基づいて、前記測定データの時間変化のうち前記生体の内部に存在する動脈の拍動に由来する成分を分離する拍動成分分離部と、
前記拍動成分分離部により分離された前記測定データの前記動脈の拍動に由来する成分を利用して、動脈血中の酸素飽和度を算出する酸素飽和度算出部と、
を備え、
前記測定部は、
所定波長を有する赤色光及び赤外光の少なくとも２種類の測定光を、前記生体に向かって射出する光源部と、
複数のセンサが所定の配置で規則的に配設されており、前記光源部から射出され前記生体を透過した測定光を当該複数のセンサで検出する検出部と、
を有する、測定装置。
（１０）
生体の少なくとも一部に対して所定波長の光を照射して、当該生体をイメージセンサにより撮像し、前記生体による前記光の吸収度合いを測定することと、
測定された測定データを利用して、前記生体の測定部位において前記生体の内部に存在する静脈に対応する位置を特定することと、
前記測定データの時間変化と、特定された前記静脈の位置と、に基づいて、前記測定データの時間変化のうち前記生体の内部に存在する動脈の拍動に由来する成分を分離することと、
分離された前記測定データの前記動脈の拍動に由来する成分を利用して、動脈血中の酸素飽和度を算出することと、
を含み、
前記光の吸収度合いを測定する際には、
所定波長を有する赤色光及び赤外光の少なくとも２種類の測定光を、前記生体に向かって射出し、複数のセンサが所定の配置で規則的に配設されたセンサによって、前記生体を透過した測定光を検出する、測定方法。
【符号の説明】
【０１５２】
１０    測定装置
１０１    測定部
１０３    測定制御部
１０５    測定データ取得部
１０７    静脈位置特定部
１０９    拍動成分分離部
１１１    酸素飽和度算出部
１１３    測定結果出力部
１１５    記憶部
【図１】
0005948831.tif 000009
【図２】
0005948831.tif 000010
【図３】
0005948831.tif 000011
【図４】
0005948831.tif 000012
【図５】
0005948831.tif 000013
【図６】
0005948831.tif 000014
【図７】
0005948831.tif 000015
【図８】
0005948831.tif 000016
【図９】
0005948831.tif 000017
【図１０】
0005948831.tif 000018
【図１１】
0005948831.tif 000019
【図１２】
0005948831.tif 000020
【図１３】
0005948831.tif 000021